(57)【要約】【課題】  着心地の良さと防寒性の高さとを両立できるサイクリング用のジャケットを提供することを課題とする。【解決手段】  着用者が体を通す開口を形成する開口縁部から延出する塞部を備え、該塞部は、互いに重ね合わされた状態で前記開口縁部から延出するように縫合される内生地と外生地とを有し、該内生地及び外生地には、一面を毛羽立たせた起毛面と、該起毛面の反対側のベース面とが含まれ、前記内生地の前記起毛面は、前記開口の内側に向けて配置され、前記外生地の前記起毛面は、前記内生地の前記ベース面に対向配置され、前記内生地又は前記外生地の何れか一方の先端部が前記内生地又は前記外生地の何れか他方側に折り返された状態で前記内生地の先端と前記外生地の先端との縫い目が前記塞部の先端からずれた位置に配置されているサイクリング用のジャケット。【選択図】図７
2018080404.tif 000002
【特許請求の範囲】
【請求項１】
着用者が体を通す開口を形成する開口縁部から延出する塞部を備え、該塞部は、互いに重ね合わされた状態で前記開口縁部から延出するように縫合される内生地と外生地とを有し、該内生地及び外生地には、一面を毛羽立たせることで構成された起毛面と、該起毛面とは反対側のベース面とが含まれ、前記内生地の前記起毛面は、前記開口の内側に向けて配置され、前記外生地の前記起毛面は、前記内生地の前記ベース面に対向するように配置され、前記内生地又は前記外生地の何れか一方の先端部が前記内生地又は前記外生地の何れか他方側に折り返された状態で前記内生地の先端と前記外生地の先端との縫い目が前記塞部の先端からずれた位置に配置されているサイクリング用のジャケット。
【請求項２】
筒状である一対の袖部と、該袖部の先端縁部から延出する一対の袖先部とを備え、該袖先部が、前記開口縁部としての前記袖部の前記先端縁部から延出する前記塞部として構成される請求項１に記載のサイクリング用のジャケット。
【請求項３】
襟ぐりが形成された上身頃と、該上身頃の襟ぐりを形成する襟ぐり縁部から延出する襟部とを備え、該襟部が、前記開口縁部としての前記襟ぐり縁部から延出する前記塞部として構成される請求項１又は請求項２に記載のサイクリング用のジャケット。
【発明の詳細な説明】
【技術分野】
【０００１】
本発明は、自転車の運転者が防寒等のために着用するサイクリング用のジャケットに関する。
【背景技術】
【０００２】
従来から、例えば、特許文献１に開示されているように、スポーツを行う際に防寒等の目的で着用するジャケット（いわゆる、ウインドブレークジャケット）が提供されており、かかるジャケットの一種として、ロードバイク等の自転車の運転者が着用するサイクリング用のジャケット（以下、ジャケットという）も提供されている。
【０００３】
ジャケットは、襟ぐり（着用者が首を通す開口）及び一対の袖ぐり（着用者が腕を通す開口）が形成された上身頃と、該上身頃の袖ぐりを形成する縁部から延出する筒状の一対の袖部と、前記袖部の先端部に延設された筒状の袖先部と、前記上身頃の襟ぐり
を形成する縁部（以下、襟ぐり縁部という）に立設された帯状の襟部とを備えており、袖先部と襟部とは、それぞれ伸縮性を有するように構成されている。
【０００４】
前記ジャケットは、着用状態において、袖先部の内周面が着用者の手首周りに当接し、襟部が着用者の首周りに当接するため、袖口が袖部で塞がれるとともに、襟ぐりが襟部で塞がれることによって、袖口や襟ぐりを介する空気の流れ（ジャケットの内外に対する空気の流れ）が遮られる。
【０００５】
従って、前記ジャケットは、外部から内部に流れ込もうとする外部の空気を遮るとともに、着用者の体温で暖められた内部の空気が外部に漏れないようにすることができ、これにより、寒さを防ぐことができる。
【先行技術文献】
【特許文献】
【０００６】
【特許文献１】特開平１０−２７３８０３号公報
【発明の概要】
【発明が解決しようとする課題】
【０００７】
ところで、上述のジャケットにおける袖先部や襟部は、一般的に、伸縮性を有する帯状の二枚の生地（内生地と外生地）を縫い合わせたもので構成されており、袖先部では、図９（ａ）に示すように、内生地６０の一方の長辺部６００と外生地６１の一方の長辺部６１０とがそれぞれ折り返された状態で縫合されている。そのため、内生地６０及び外生地６１の長辺部６００，６０１同士の縫合部分が袖先部６の先端部６２となっている。
【０００８】
また、襟部も、図９（ｂ）に示すように、内生地７０の一方の長辺部７００と外生地７１の一方の長辺部７１０とがそれぞれ折り返された状態で縫合されており、該内生地７０及び外生地７１の長辺部７００，７１０同士の縫合部分が襟部の先端部７２となっている。
【０００９】
このように、袖先部６の先端部６２では、内生地６０と外生地６１とが多重な状態（図９（ａ）では、４重に重なった状態）で縫合されており、また、襟部７の先端部７２では、内生地７０と外生地７１が多重な状態（図９（ｂ）では、４重に重なった状態）で縫合されているため、袖先部６の先端部６２や、襟部７の先端部７２は、厚みが増すことで縫い目の周辺に段差が生じるうえに、柔軟性が損なわれる傾向がある。
【００１０】
そのため、上述のジャケットの着用者（自転車の運転者）は、例えば、手首を返した状態でハンドルを握ったり、上半身を前方に曲げた状態で顔をあげた姿勢をとったりした際、つまり、関節を曲げた際に、袖先部６の先端部６２や襟部７の先端部７２によって手や首における曲げられた部分が圧迫されるため、違和感（絞め付け感）を感じることがある。
【００１１】
また、ジャケットのうちの端部でもある袖先部６や襟部７は、着用者が寒さを感じ易い部分でもあるため、上述のジャケットには、特に、袖先部６や、襟部７における防寒性をより優れたものとする余地もある。
【００１２】
そこで、本発明は、斯かる実情に鑑み、着心地の良さと防寒性の高さとを両立できるサイクリング用のジャケットを提供することを課題とする。
【課題を解決するための手段】
【００１３】
本発明のサイクリング用のジャケットは、着用者が体を通す開口を形成する開口縁部から延出する塞部を備え、該塞部は、互いに重ね合わされた状態で前記開口縁部から延出するように縫合される内生地と外生地とを有し、該内生地及び外生地には、一面を毛羽立たせることで構成された起毛面と、該起毛面とは反対側のベース面とが含まれ、前記内生地の前記起毛面は、前記開口の内側に向けて配置され、前記外生地の前記起毛面は、前記内生地の前記ベース面に対向するように配置され、前記内生地又は前記外生地の何れか一方の先端部が前記内生地又は前記外生地の何れか他方側に折り返された状態で前記内生地の先端と前記外生地の先端との縫い目が前記塞部の先端からずれた位置に配置されている。
【００１４】
かかる構成によれば、塞部の先端部が、内生地又は外生地の何れか一方の先端部を折り返した部分によって構成され、さらに、内生地の先端部と外生地の先端部の縫い目が、塞部の先端部からずれた位置に配置される。
【００１５】
これにより、塞部の先端部の厚みが抑えられるとともに、内生地と外生地との縫合によって、塞部の先端部の柔軟性が損なわれることが防止されるため、塞部の先端部が着用者の身体の動きや形状に追従して変形し易くなる。
【００１６】
また、上記構成のジャケットでは、内生地の起毛面が着用者に当接するとともに、該内生地の外側には外生地の起毛面が当接するため、着用者の体温で暖められた空気が着用者と内生地との間、及び内生地と外生地との間に留まり易くなる。従って、着用者の身体が温まり易くなる。
【００１７】
そして、本発明のサイクリング用のジャケットは、筒状である一対の袖部と、該袖部の先端縁部から延出する一対の袖先部とを備え、該袖先部が、前記開口縁部としての前記袖部の前記先端縁部から延出する前記塞部として構成されるようにしてもよい。
【００１８】
かかる構成によれば、着用者が手首を通す袖先部が塞部として構成されるため、該袖先部が、着用者の手首の動きや形状に追従して変形し易くなる。
【００１９】
また、着用者の体温で暖められた空気が着用者の手首と袖先部の内生地との間、及び袖先部の内生地と外生地との間に留まり易くなるため、特に、袖先部において、着用者の身体が温まり易くなる。
【００２０】
さらに、本発明のサイクリング用のジャケットは、襟ぐりが形成された上身頃と、該上身頃の襟ぐりを形成する襟ぐり縁部から延出する襟部とを備え、該襟部が、前記開口縁部としての前記襟ぐり縁部から延出する前記塞部として構成されるようにしてもよい。
【００２１】
かかる構成によれば、着用者の首を通した状態となる襟部が塞部として構成されるため、該襟部が、着用者の首の動きや形状に追従して変形し易くなる。
【００２２】
また、着用者の体温で暖められた空気が着用者の首と襟部の内生地との間、及び襟部の内生地と外生地との間に留まり易くなるため、特に、襟部において、着用者の身体が温まり易くなる。
【発明の効果】
【００２３】
以上のように、本発明のサイクリング用のジャケットによれば、着心地の良さと防寒性の高さとを両立できるという優れた効果を奏し得る。
【図面の簡単な説明】
【００２４】
【図１】図１は、本発明の一実施形態に係るサイクリング用のジャケットの正面図である。
【図２】図２は、同実施形態に係るサイクリング用のジャケットの背面図である。
【図３】図３は、同実施形態に係るサイクリング用のジャケットの部分断面図である。
【図４】図４は、同実施形態に係るサイクリング用のジャケットの断面図であって、図３のＩＶ−ＩＶ線の断面図である。
【図５】図５は、同実施形態に係るサイクリング用のジャケットの断面図であって、図３のＶ−Ｖ線の断面図である。
【図６】図６は、同実施形態に係るサイクリング用のジャケットの着用状態における外観図である。
【図７】図７は、同実施形態に係るサイクリング用のジャケットの着用状態における袖部の縦断面図である。
【図８】図８は、同実施形態に係るサイクリング用のジャケットの着用状態における襟部の縦断面図である。
【図９】図９において、（ａ）は、従来のサイクリング用のジャケットの袖先部の縦断面図であり、（ｂ）は、従来のサイクリング用のジャケットの襟部の縦断面図である。
【発明を実施するための形態】
【００２５】
以下、本発明の一実施形態にかかるサイクリング用のジャケット（以下、ジャケットという）について、添付図面を参照しつつ説明する。
【００２６】
本実施形態に係るジャケットは、ロードバイク等の自転車の運転者が上着として着用することを前提とするものである。
【００２７】
ジャケットは、図１に示すように、着用者が首を通す開口である襟ぐり２０を形成（画定）する開口縁部（以下、襟ぐり縁部という）及び着用者が腕を通す開口である一対の袖ぐり２１を形成（画定）する開口縁部（以下、袖ぐり縁部という）が形成された上身頃２と、該上身頃２の袖ぐり縁部から延出する筒状の一対の袖部３と、筒状であり且つ袖部３の先端部に延設された袖先部４と、帯状であり且つ上身頃２の襟ぐり縁部に延設された襟部５とを備えている。
【００２８】
なお、本実施形態では、ジャケット１の着丈に対応する方向を着丈方向、ジャケット１の身幅に対応する方向を身幅方向、ジャケット１の前後に対応する方向を前後方向と称して以下の説明を行うこととする。
【００２９】
上身頃２は、着用者の上半身の胴体を覆う部分である。また、上身頃２では、前記着丈方向における下端部によって裾部２２が構成されている。
【００３０】
上身頃２は、前記前後方向で対向配置された生地である前身頃２３と後身頃２４とを有する。また、本実施形態に係る上身頃２は、内部での保温性を高めるための保温部２５をさらに有する。
【００３１】
本実施形態に係る前身頃２３は、前記着丈方向における全長に亘って分断されており、前記身幅方向において二分割されている。そのため、前身頃２３は、前記身幅方向で並ぶ一対の分断部２３０を有する。
【００３２】
一対の分断部２３０の外周縁部には、前記着丈方向に沿って真っ直ぐに延びる分割辺部２３０ａと、前記着丈方向における上端縁部に形成された凹状の前襟ぐり縁部２３０ｂと、前記身幅方向における側端縁部（外側の側端縁部）に形成された前袖ぐり縁部２３０ｃと、前記着丈方向における下端部で構成される前裾部２３０ｄとを有する。
【００３３】
分割辺部２３０ａは、前記身幅方向における前記分断部２３０の内側の側端縁部である。そして、一対の分断部２３０は、それぞれの分割辺部２３０ａが前記身幅方向において互いに対向するように配置されている。
【００３４】
本実施形態において、一対の分断部２３０は、それぞれの分割辺部２３０ａが互いに連結可能となるように構成されている。なお、一対の分断部２３０の分割辺部２３０ａを連結可能とするには、例えば、ファスナー等の止め具Ｓを用いればよい。
【００３５】
前襟ぐり縁部２３０ｂは、分断部２３０の上端縁部のうちの前記身幅方向における内側の部分を構成している。
【００３６】
前襟ぐり縁部２３０ｂは、分断部２３０の内側に向かって凹状となるように湾曲している。より具体的に説明すると、前襟ぐり縁部２３０ｂは、分割辺部２３０ａから前記身幅方向における外方に向かって延びるとともに、前記身幅方向における基端（分割辺部２３０ａに連続する一端）側から先端側になるにつれて徐々に上方（前記着丈方向における上方）に向かうように形成されている。
【００３７】
前袖ぐり縁部２３０ｃは、前記身幅方向における分断部２３０の外側の側端縁部の上方側の部分であり、前記身幅方向において分割辺部２３０ａと並ぶ位置に形成されている。
【００３８】
後身頃２４には、図２に示すように、前記着丈方向における上端縁部に形成された後襟ぐり縁部２４０と、前記身幅方向における側端縁部に形成された一対の後袖ぐり縁部２４１と、前記着丈方向における下端部によって構成される後裾部２４２とを有する。
【００３９】
後襟ぐり縁部２４０は、後身頃２４の上端縁部のうちの前記身幅方向における中央部を構成している。
【００４０】
後襟ぐり縁部２４０は、後身頃２４の内側に向かって凹状となるように（前記身幅方向における両端側から中央部側になるにつれて後身頃２４の内側に向かうように）湾曲している。
【００４１】
また、後襟ぐり縁部２４０の前記身幅方向における一端には、一方の分断部２３０の前襟ぐり縁部２３０ｂの先端が連続し、後襟ぐり縁部２４０の前記身幅方向における他端には、他方の分断部２３０の前襟ぐり縁部２３０ｂの先端が連続している（図１参照）。
【００４２】
そのため、本実施形態に係る上身頃２は、一対の前襟ぐり縁部２３０ｂと後襟ぐり縁部２４０とによって襟ぐり２０が形成されるように構成されている。なお、本実施形態に係るジャケット１は、前身頃２３が前記身幅方向において二分割されているため、一対の分断部２３０の分割辺部２３０ａを互いに連結すると、一対の前襟ぐり縁部２３０ｂと後襟ぐり縁部２４０とによって襟ぐり２０が形成されるように構成されている（図１参照）。
【００４３】
後袖ぐり縁部２４１は、後身頃２４の側端縁部の前記着丈方向における上方側の部分を構成している。
【００４４】
後袖ぐり縁部２４１の前記着丈方向における一端（上端）には、前袖ぐり縁部２３０ｃの前記着丈方向における一端が連続し、後袖ぐり縁部２４１の前記着丈方向における他端（下端）には、前袖ぐり縁部２３０ｃの前記着丈方向における一端が連続している。
【００４５】
そのため、本実施形態では、前袖ぐり縁部２３０ｃと後袖ぐり縁部２４１とが環状となるように連続しており、これにより、該前袖ぐり縁部２３０ｃと該後袖ぐり縁部２４１とによって袖ぐり２１が形成されている。
【００４６】
後裾部２４２の前記身幅方向における両端には、それぞれ個別の前裾部２３０ｄが連続している。そのため、本実施形態では、一対の前裾部２３０ｄと後裾部２４２とによって、裾部２２が構成されている。
【００４７】
ここで、上身頃２において、前身頃２３と後身頃２４とは、それぞれの外端縁部が襟ぐり２０と袖ぐり２１の間、及び袖ぐり２１と裾部２２との間（袖ぐり２１の下法側）で繋がっていればよい。また、前身頃２３と後身頃２４の外端縁部は、一体的に連続していてもよいし、縫合されていてもよい。
【００４８】
保温部２５は、図３に示すように、遠赤外線を発生させる保温シート２５０と、該保温シート２５０上に重ねて配置され且つ通気性を有する通気シート２５１とを有する。
【００４９】
保温シート２５０は、上身頃２の内面（本実施形態では、後身頃２４の内面）に縫合されている。また、保温シート２５０は、例えば、アルミ等の材料で構成することができる。
【００５０】
通気シート２５１は、メッシュ生地によって構成されており、保温シート２５０上に重ねて配置された状態で上身頃２の内面（本実施形態では、後身頃２４の内面）に設けられている。
【００５１】
また、本実施形態において、保温部２５は、後身頃２４の内面における下端側（裾部２２側）、すなわち、着用者の腰に対応する位置に設けられている。
【００５２】
袖部３は、長尺であり、図１に示すように、長手方向における一方の開口端部（以下、基端縁部という）３０が上身頃２の袖ぐり２１周り（前袖ぐり縁部２３０ｃと後袖ぐり縁部２４１）に縫合されており、長手方向における他方の開口端部（以下、先端縁部という）３１には、袖先部４が縫合されている。そのため、袖部３は、上身頃２の袖ぐり２１周りから延出しており、基端縁部３０が袖部３の基端部、先端縁部３１が袖部３の先端部となっている。
【００５３】
袖先部４は、図４に示すように、袖部３の先端縁部３１から延出しており、着用者Ｍの手首Ｗを取り囲むように構成されている。
【００５４】
また、袖先部４は、上述のように筒状であり、一方の開口端部（以下、基端開口部という）４０が全周に亘って袖部３の先端縁部３１の内面側に縫合されている。そのため、袖先部４は、袖部３の長手方向に沿って該袖部３の先端縁部３１から延出しており、他方の開口端部（以下、先端開口部という）４１が該袖先部４の先端部を構成している。
【００５５】
なお、袖先部４は、ジャケット１を着用した状態において、着用者の手首Ｗを全周に亘って取り囲むとともに、基端開口部４０が手首Ｗの後方側に配置され、先端開口部４１が手首Ｗの前方側に配置されるように構成されている。
【００５６】
本実施形態に係る袖先部４は、一対の帯状の生地で構成されている。すなわち、袖部３は、帯状の内生地（本実施形態では袖用内生地という）４２と、帯状の外生地（本実施形態では袖用外生地という）４３とで構成されている。なお、袖先部４は、袖用内生地４２の各短辺と、袖用外生地４３の各短辺とが一括して縫合されることで筒状となっている。
【００５７】
袖用内生地４２及び袖用外生地４３は、メリヤス生地（本実施形態では、トリコット生地）であり、何れも、伸縮性及び柔軟性を有する生地である。
【００５８】
そして、袖用内生地４２は、一面を毛羽立たせることで構成された起毛面（袖内起毛面）４２０と、該起毛面とは反対側の面であり且つ起毛していない面であるベース面（袖内ベース面）４２１とを有する。また、袖用内生地４２は、上述のように、帯状の生地で構成されているため、長手方向に沿って延びる一対の長辺部４２２、４２３を有する。
【００５９】
袖用外生地４３も、一面を毛羽立たせることで構成された起毛面（袖外起毛面）４３０と、該起毛面とは反対側の面であり且つ起毛していない面であるベース面（袖外ベース面）４３１とを有する。また、袖用外生地４３も、上述のように、帯状の生地で構成されているため、長手方向に沿って延びる一対の長辺部４３２、４３３を有する。
【００６０】
なお、袖用内生地４２と袖用外生地４３とは、一面を毛羽立たせることで袖内起毛面４２０、袖外起毛面４３０を形成することによって、袖内起毛面４２０、袖外起毛面４３０を含む構成とするうえで生地自体の伸縮性が損なわれないようにしている。
【００６１】
本実施形態に係る袖先部４では、袖用内生地４２と袖用外生地４３とが同一の生地で構成されており、該袖用外生地４３の厚み（全体の厚み）と該袖用内生地４２の厚み（全体の厚み）とが同一又は略同一となっている。
【００６２】
袖先部４では、袖用内生地４２の袖内ベース面４２１と袖用外生地４３の袖外起毛面４３０とが対向（対面）するようにして袖用内生地４２と袖用外生地４３とが配置されている。
【００６３】
また、袖先部４では、袖用内生地４２と袖用外生地４３とが裏表を逆にして（反転させて）配置された状態で繋ぎ合わされている。より具体的に説明すると、袖先部４では、袖用外生地４３の先端部と袖用内生地４２の先端部とが付き合わされた状態で縫合されており、袖用内生地４２の袖内ベース面４２１と袖用外生地４３の袖外起毛面４３０とが対向するようにして袖用外生地４３の先端部が折り返されている。すなわち、袖用外生地４３の先端部は、袖先部４の袖口内側（袖用内生地４２側）に折り返されている。
【００６４】
これにより、袖先部４では、袖用外生地４３の折り目４３４が該袖先部４の先端部となり、袖用内生地４２の他方の長辺部４２３と袖用外生地４３の他方の長辺部４２３との縫い目Ｌ１が袖先部４の先端（稜線）から内側にずれた位置（すなわち、袖先部４の内周面側）に配置される。
【００６５】
また、袖用内生地４２と袖用外生地４３とは、上述のように、厚みが同一又は略同一となっており、さらに、袖用内生地４２の他方の長辺部４２３と袖用外生地４３の他方の長辺部４３３とが互いに付き合わされた状態で縫合されているため、袖用内生地４２の袖内起毛面４２０と、袖用外生地４３の袖外ベース面４３１とが面一となっており、また、袖用内生地４２の袖内ベース面４２１と、袖用外生地４３の袖外起毛面４３０も面一となっている。
【００６６】
なお、袖用内生地４２の先端と袖用外生地４３の先端とは、メローロックや、オーバーロック、カバリング、フラットシーマ等の縫い目が平らになる縫合方法で縫い合わされていればよい。本実施形態では、袖用内生地４２の先端と袖用外生地４３の先端とがこのように縫い合わされることによって、縫い目Ｌ１に段差が生じないようにできる。
【００６７】
また、袖用内生地４２と袖用外生地４３との縫い目Ｌ１は、袖先部４の軸線方向における中央部よりも先端部側に位置している。
【００６８】
袖用内生地４２の一方の長辺部４２２と袖用外生地４３の一方の長辺部４３２とは、互いに重なり合った状態で袖部３の先端縁部３１の内側に縫合されている。
【００６９】
襟部５は、図５に示すように、着用者の首Ｎの周囲を取り囲むように構成されている。また、襟部５は、上述のように帯状であり、一方の長辺部５０が全長に亘って襟ぐり２０に縫合されている。そのため、襟部５は、上身頃２の襟ぐり２０周りから延出しており、一方の長辺部５０によって基端部が構成され、他方の長辺部５１によって先端部が構成されている。
【００７０】
襟部５では、長手方向における両側端部５２が首の前側（顎の下方側）に対応する位置に配置され、襟部５の長手方向における中央部５３が首の後ろ側に対応する位置に配置される。また、ジャケット１を着用した状態において、襟部５の先端部である他方の長辺部５１は、長手方向における中央部５３が後頭部の下方側に対応する位置に配置されるように構成されている。
【００７１】
本実施形態に係る襟部５は、一対の帯状の生地で構成されている。すなわち、襟部５は、帯状の内生地（本実施形態では襟用内生地５４という）５４と、帯状の外生地（本実施形態では襟用外生地という）５５とで構成されている。
【００７２】
襟用内生地５４及び襟用外生地５５は、メリヤス生地（本実施形態では、トリコット生地）であり、何れも、伸縮性及び柔軟性を有する生地である。
【００７３】
襟用内生地５４は、一面を毛羽立たせることで構成された起毛面（襟内起毛面）５４０と、該起毛面とは反対側の面であり且つ起毛していない面であるベース面（襟内ベース面）５４１とを有する。また、襟用内生地５４は、上述のように、帯状の生地で構成されているため、長手方向に沿って延びる一対の長辺部５４２，５４３を有する。
【００７４】
襟用外生地５５も、一面を毛羽立たせることで構成された起毛面（襟外起毛面）５５０と、該起毛面とは反対側の面であり且つ起毛していない面であるベース面（襟外ベース面）５５１とを有する。また、襟用内生地５４も、上述のように、帯状の生地で構成されているため、長手方向に沿って延びる一対の長辺部５５２，５５３を有する。
【００７５】
なお、襟用内生地５４と襟用外生地５５とは、一面を毛羽立たせることで襟内起毛面５４０、襟外起毛面５５０を形成することによって、襟内起毛面５４０、襟外起毛面５５０を含む構成とするうえで生地自体の伸縮性が損なわれないようにしている。
【００７６】
本実施形態に係る襟部５では、襟用内生地５４と襟用外生地５５とが同一の生地で構成されており、該襟用外生地５５の厚み（全体の厚み）と該襟用内生地５４の厚み（全体の厚み）とが同一又は略同一となっている。
【００７７】
また、襟部５では、襟用内生地５４と襟用外生地５５とが裏表を逆にして（反転させて）配置された状態で繋ぎ合わされている。より具体的に説明すると、襟部５では、襟用外生地５５の先端部と襟用内生地５４の先端部とが付き合わされた状態で縫合されており、襟用内生地５４の襟内ベース面５４１と襟用外生地５５の襟外起毛面５５０とが対向するようにして襟用外生地５５の先端部が折り返されている。
【００７８】
これにより、襟部５では、襟用外生地５５の折り目５５４が該襟部５の先端部となり、襟用内生地５４の他方の長辺部５４３と襟用外生地５５の他方の長辺部５５３との縫い目Ｌ２が襟部５の先端（稜線）から内側にずれた位置（すなわち、襟部５の前面側）に配置される。
【００７９】
また、襟用内生地５４と襟用外生地５５とは、上述のように、厚みが同一又は略同一となっており、さらに、襟用内生地５４の他方の長辺部５４３と襟用外生地５５の他方の長辺部５５３とが互いに付き合わされた状態で縫合されているため、襟用内生地５４の襟内起毛面５４０と、襟用外生地５５の襟外ベース面５５１とが面一となっており、また、襟用内生地５４の襟内ベース面５４１と、襟用外生地５５の襟外起毛面５５０も面一となっている。
【００８０】
なお、襟用内生地５４の先端と襟用外生地５５の先端とは、メローロックや、オーバーロック、カバリング、フラットシーマ等の、縫い目Ｌ２が平らになる縫合方法で縫い合わされていればよい。本実施形態では、襟用内生地５４の先端と襟用外生地５５の先端とがこのように縫い合わされることによって、縫い目Ｌ２に段差が生じないようにできる。
【００８１】
また、襟用内生地５４と襟用外生地５５との縫い目Ｌ２は、襟部５の軸線方向における中央部５３よりも先端部側に位置している。
【００８２】
襟用内生地５４の一方の長辺部５４２と襟用外生地５５の一方の長辺部５５２とは、互いに重なり合った状態で上身頃２の襟ぐり２０周り（一対の前襟ぐり縁部２３０ｂ、及び後襟ぐり２０部）に縫合されている。
【００８３】
以上のように、本実施形態に係るジャケット１では、着用者が手首Ｗを通す袖部３の先端部（他方の先端縁部３１）から延出する袖先部４や、襟ぐり２０を形成する上身頃２の襟ぐり周り（すなわち、前襟ぐり縁部２３０ｂ、及び後襟ぐり縁部２４０）から延出する襟部５が、着用者が身体を通す開口を形成する開口縁部から延出する塞部となっている。
【００８４】
本実施形態に係るジャケット１の構成は、以上の通りである。続いて、本実施形態に係るジャケット１を着用状態について説明する。なお、本実施形態では、図６に示すように、着用者Ｍがロードバイクを運転している状況下を一例に挙げてジャケット１の着用状態についての説明を行う。
【００８５】
まず、着用者Ｍがジャケット１を着用すると、図７に示すように、着用者Ｍの手首Ｗ周りには袖先部４の袖用内生地４２が当接することで袖口が塞がれる。なお、袖先部４の基端開口部４０は、手首Ｗの手前に位置し、袖先部４の先端開口部４１は、手首Ｗの前方に位置している。
【００８６】
そして、着用者Ｍの首周りには、図８に示すように、襟部５の襟用内生地５４が当接することで襟ぐり２０が塞がれる。
【００８７】
ロードバイクの運転者（着用者）Ｍは、図６に示すように、手首を返した状態でハンドルを握ることがある。この場合、図７に示すように、着用者Ｍの手Ｈの甲が袖先部４の先端開口部４１に押し付けられるが、袖先部４の先端開口部４１は、袖用外生地４３の折り目４３４（折り返された部分）で構成されており、従来のような生地が多重に縫合された構成となっていないため、着用者Ｍの手Ｈの甲の動きに追従して十分に変形する。
【００８８】
また、ロードバイクの運転者（着用者）Ｍは、上半身を前方に曲げた状態で顔をあげた姿勢をとることがある（図６参照）。この場合、図８に示すように、着用者Ｍの首Ｎが襟部５の先端部（一方の長辺部５０）に押し付けられるが、襟部５の先端部は、襟用外生地５５の（折り目５５４）折り返された部分で構成されており、従来のような生地が多重に縫合された構成となっていないため、着用者Ｍの首Ｎの動きに追従して十分に変形する。
【００８９】
以上のように、本実施形態に係るジャケット１において、袖先部４は、一枚の袖用外生地４３を折り返した部分により袖先部４の先端部が構成されるとともに、袖用内生地４２（他方の長辺部４２３）と袖用外生地４３（他方の長辺部４２３）との縫い目Ｌ１が該袖先部４の先端からずれた位置に形成されているため、袖先部４の先端部の厚みを抑えるとともに、柔軟性が損なわれないようにすることができる。
【００９０】
また、襟部５は、一枚の襟用外生地５５を折り返した部分により襟部５の先端部が構成されるとともに、襟用内生地５４（他方の長辺部５４３）と襟用外生地５５（他方の長辺部５５３）との縫い目Ｌ２が該襟部５の先端からずれた位置に形成されているため、襟部５の先端部の厚みを抑えるとともに、柔軟性が損なわれないようにすることができる。
【００９１】
このように、ジャケット１では、塞部としての袖先部４や襟部５の先端部が薄く、しかも、柔軟性が損なわれないように構成されているため、着用者Ｍの身身体の動きや形状に合わせて変形し易くなっている。
【００９２】
なお、ジャケット１では、袖先部４が、同一であり且つ厚みが同一又は略同一の生地である袖用内生地４２と袖用外生地４３のそれぞれの先端部（長辺部４２３、長辺部４３３）を突き合わせた状態で縫合しているため、袖用内生地４２の袖内起毛面４２０と袖用外生地４３の袖外ベース面４３１とが面一となり、また、袖用内生地４２の袖内ベース面４２１と袖用外生地４３の袖外起毛面４３０とが面一となり、しかも、袖用内生地４２の先端と袖用外生地４３の先端との縫い目Ｌ１が平らであることから、袖先部４の縫い目Ｌ１が着用者にごわつき感を与えないようになっている。
【００９３】
また、襟部５が、同一であり且つ厚みが同一又は略同一の生地である襟用内生地５４と襟用外生地５５のそれぞれの先端部（長辺部５４３、長辺部５５３）を突き合わせた状態で縫合しているため、襟用内生地５４の襟内起毛面５４０と襟用外生地５５の襟外ベース面５５１とが面一となり、また、襟用内生地５４の襟内ベース面５４１と襟用外生地５５の襟外起毛面５５０とが面一となり、しかも、襟用内生地５４の先端と襟用外生地５５の先端との縫い目Ｌ２が平らであることから、襟部５の縫い目Ｌ２も着用者にごわつき感を与えないようになっている。
【００９４】
そして、ジャケット１では、袖用内生地４２と、襟用内生地５４とがそれぞれ一面を毛羽立たせて構成した袖内起毛面４２０、襟内起毛面５４０を有しており、この袖内起毛面４２０、襟内起毛面５４０が着用者Ｍの手首Ｗ周り、首Ｎ周りに当接するため、袖先部４と手首Ｗとの間、及び襟部５と首Ｎとの間に空気の層が形成される。
【００９５】
従って、着用者Ｍの身体温によって暖められた空気が袖先部４と手首Ｗとの間や、襟部５と首Ｎとの間に留まるため、ジャケット１のうちの端部となる袖先部４や襟部５においても着用者の身体が温まり易くなる。そのため、例えば、自転車の走行に伴って着用者Ｍが常に風を受ける状態であっても身体が温まり易くなる。
【００９６】
また、袖用内生地４２と袖用外生地４３との縫い目Ｌ１は、袖先部４の軸線方向における中央部よりも先端部側に位置しているため、袖先部４の柔軟性が損なわれないようにしつつ、着用者Ｍ（手首Ｗ）と袖用内生地４２の袖内起毛面４２０との接触面積を十分に確保できる。
【００９７】
また、襟用内生地５４と襟用外生地５５との縫い目Ｌ２も、襟部５の軸線方向における中央部５３よりも先端部側に位置しているため、襟部５の柔軟性が損なわれないようにしつつ、着用者Ｍ（首Ｎ）と襟用内生地５４の襟内起毛面５４０との接触面積を十分に確保できる。
【００９８】
なお、袖先部４の袖内起毛面４２０、袖外起毛面４３０や、襟部５の襟内起毛面５４０、襟外起毛面５５０が外側に露出していないため、ジャケット１では、袖先部４や、襟部５の外面が外気（例えば、自動車の排気ガス等）に触れて汚れることを抑制することもできる。
【００９９】
さらに、本実施形態に係るジャケット１では、袖用外生地４３と襟用外生地５５も、それぞれ一面を毛羽立たせて構成した袖外起毛面４３０、襟外起毛面５５０を有しており、この袖外起毛面４３０、襟外起毛面５５０が、それぞれ袖用内生地４２の袖内ベース面４２１、襟用内生地５４の襟内ベース面５４１と対向しているため、袖用外生地４３と袖用内生地４２との間、及び襟用外生地５５と襟用内生地５４との間にも空気の層が形成される。
【０１００】
従って、着用者Ｍの身体温によって暖められた空気が袖用外生地４３と袖用内生地４２との間、襟用外生地５５と襟用内生地５４との間にも留まるため、着用者の身体を温める効果が高まる。
【０１０１】
このように、本実施形態に係るジャケット１では、ジャケット１の内外にける空気の流れを遮るための袖先部４や襟部５に対して空気を留めることができる機能を付加することで着用者の身体が温まり易くなっている。
【０１０２】
従って、本実施形態に係るジャケット１は、着心地の良さと防寒性の高さとを両立することができる。
【０１０３】
なお、本発明のジャケットは、上記一実施形態に限定されるものではなく、本発明の要旨を逸脱しない範囲において種々変更を行い得ることは勿論である。
【０１０４】
上記実施形態において、袖先部４では、袖用外生地４３の先端部が袖先部４の袖口内側（袖用内生地４２側）に折り返されていたが、この構成に限定されない。例えば、袖先部４では、袖用内生地４２の先端部が袖先部４の袖口外側（袖用外生地４３側）に折り返されていてもよい。すなわち、袖用内生地４２の先端部と袖用外生地４３の先端部との縫い目Ｌ１が、袖先部４の先端（稜線）からずれた位置に配置されていればよい。但し、汚れを抑制するという観点では、袖用内生地４２が過度に露出しないようにすることが好ましい。
【０１０５】
上記実施形態において、襟部５では、襟用外生地５５の先端部が襟部５の襟口内側（襟用内生地５４側）に折り返されていたが、この構成に限定されない。例えば、襟部５では、襟用内生地５４の先端部が襟ぐり２０の外方側（襟用外生地５５側）に折り返されていてもよい。すなわち、襟用内生地５４の先端部と襟用外生地５５の先端部との縫い目Ｌ２が、襟部５の先端（稜線）からずれた位置に配置されていればよい。但し、汚れを抑制するという観点では、襟用内生地５４が過度に露出しないようにすることが好ましい。
【０１０６】
上記実施形態において、前身頃２３は、前記身幅方向で二分割されていたが、この構成に限定されない。例えば、前身頃２３は、単一の生地で構成されていても良い（すなわち、前記身幅方向で二分割されていなくてもよい）。
【０１０７】
上記実施形態において、襟部５は、帯状であったが、例えば、円環状であってもよい。この場合、前身頃２３は、単一の生地で構成すればよい。
【符号の説明】
【０１０８】
１…ジャケット、２…上身頃、３…袖部、４…袖先部、５…襟部、２２…裾部、２３…前身頃、２４…後身頃、２５…保温部、３０…基端縁部、３１…先端縁部、４０…基端開口部、４１…先端開口部、４２…袖用内生地、４３…袖用外生地、５０…長辺部、５１…長辺部、５２…両側端部、５３…中央部、５４…襟用内生地、５５…襟用外生地、２３０…分断部、２３０ａ…分割辺部、２３０ｂ…縁部、２３０ｃ…縁部、２３０ｄ…前裾部、２４０…縁部、２４１…縁部、２４２…後裾部、２５０…保温シート、２５１…通気シート、４２０…袖内起毛面、４２１…袖内ベース面、４２２…長辺部、４２３…長辺部、４３０…袖外起毛面、４３１…袖外ベース面、４３２…長辺部、４３３…長辺部、４３４…折り目、５４０…襟内起毛面、５４１…襟内ベース面、５４２…長辺部、５４３…長辺部、５５０…襟外起毛面、５５１…襟外ベース面、５５２…長辺部、５５３…長辺部、５５４…折り目、Ｈ…手、Ｌ１…縫い目、Ｌ２…縫い目、Ｍ…着用者、Ｎ…首、Ｓ…具、Ｗ…手首
【図１】
2018080404.tif 000003
【図２】
2018080404.tif 000004
【図３】
2018080404.tif 000005
【図４】
2018080404.tif 000006
【図５】
2018080404.tif 000007
【図６】
2018080404.tif 000008
【図７】
2018080404.tif 000009
【図８】
2018080404.tif 000010
【図９】
2018080404.tif 000011